(57)【要約】【課題】  取り付けが簡単で且つ使用中に幼児が動いても滑りにくい幼児用補助便座用の便座カバーを提供する。【解決手段】  大人用便座Ｃに対して装着自在な幼児用補助便座Ａに被せる便座カバーＢを、発泡製樹脂材料で幼児用補助便座Ａの座面形状に倣った形状に成形したカバー部５と、カバー部５の外周側及び内周側の端部に形成した幼児用補助便座への係止部６，７とで構成した。また、その外周縁部の係止部７を、幼児用補助便座Ａの端部を巻き込むように折り畳み形状９に形成した。よって、使用時幼児が不意に動いても便座カバーＢが外れたりすることがなく安全である。また、使用時ヒヤリ感がなく座ることができ、トイレは冷たいという先入観を払拭でき、幼児のトイレトレーニングがスムーズに行える。さらに、便座カバーＢの装着が容易且つ確実にでき、あらゆる方向への幼児の動きに対してもずれることがなく、使用時の安全を確保することができる。【選択図】        図４
2005334180.tif 000002
【特許請求の範囲】
【請求項１】
大便器上に開閉自在に取付られた大人用便座に対して装着自在な幼児用補助便座に被せる便座カバーであって、発泡製樹脂材料で前記幼児用補助便座の座面形状に倣った形状に成形したカバー部と、該カバー部の外周側及び内周側の端部に形成した、幼児用補助便座への係止部とで構成したことを特徴とする幼児用補助便座の便座カバー。
【請求項２】
前記係止部を、前記カバー部の外周縁部全周と内周縁部の複数箇所に設けたことを特徴とする請求項１記載の幼児用補助便座の便座カバー。
【請求項３】
前記外周縁部の係止部を、前記幼児用補助便座の端部に内向きに巻き込まれてから折り返される複数層の折り畳み形状に形成したことを特徴とする請求項１又は２記載の幼児用補助便座の便座カバー。
【請求項４】
前記内周縁部の係止部を、前記幼児用補助便座の内周縁部または裏面に設けられた係合突部に嵌める引掛け係合部としたことを特徴とする請求項１〜３のいずれかに記載の幼児用補助便座の便座カバー。
【請求項５】
前記引掛け係合部を、前記内周縁部の係止部に設けた伸縮自在な環状部材で構成し、前記係合突部に前記環状部材を伸ばして嵌めることを特徴とする請求項４記載の幼児用補助便座の便座カバー。
【請求項６】
前記発泡製樹脂材料が、発泡ポリエチレンもしくは変性された発泡ポリエチレンであることを特徴とする請求項１〜５のいずれかに記載の幼児用補助便座の便座カバー。
【発明の詳細な説明】
【技術分野】
【０００１】
本発明は、大人用便座上に装着する幼児用補助便座に被せて使用する便座カバーに関するものである。
【背景技術】
【０００２】
従来、幼児が排泄を行うには簡便で行為的に危険ではないおまるが使用されている。しかしながら、幼児の排泄行為の自立性促進および公共施設での使用方法の教育など一般的に普及している便器への対応に関して教育が必要となっている。その教育の初期段階として、一般家庭の大便器上に開閉自在に取付られた大人用便座に装着させる、幼児の体型にあった幼児用補助便座が使用されている。
この幼児用補助便座は、冬季など外気温が低い時に対応させて暖房機能をつけたものは特殊で、ほとんどが冷たさの回避には便座カバーが使用されている。
この便座カバーの取り付け方法としては、便座カバーの端部についたゴム長ひもを便座裏側に通し、便座裏側に設けられたネジ部に引っ掛けて固定する方法や座面に細条孔を設けそこに対応する位置に細条孔に掛け止め可能なボタンを設けた便座カバーをはめ込んで固定する方法などがある。（例えば、特許文献１、２参照）
また、布製短筒状の便座カバーを拡開して補助便座に被せ、便座カバーの裏側にゴム状物質製の凸形状を設けたものが考案されている（特許文献３参照）。これは、ゴム状の凸形状を補助便座の座面との接触部に位置させて滑り止めさせるものである。
【特許文献１】実用新案登録第３０２１７４９号公報
【特許文献２】特開平１０−２８６１９６号公報
【特許文献３】特開２００１−８７１６７号公報
【発明の開示】
【発明が解決しようとする課題】
【０００３】
特許文献１，２の便座カバーは、ネジ部への引っ掛け固定、細条孔へのはめ込みなど、取り付け、取り外しの作業が非常に煩雑である。実際に使用者からは、このような煩雑な作業は行いたくないという声も挙がっている。
また、便座カバーは布製であり、便座上で幼児が予測不能な動きをした場合、幼児用便座ごと滑る可能性があり危険である。さらに幼児用便座が動くと、大人用便座の表面に傷が入り、その傷に汚れがつまりやすくなるといった問題がある。
特許文献３の便座カバーは、、補助便座への装着は比較的簡単であるが、滑り止めとして使用している材質が軟質系のものであれば、可塑剤などが大人用便座へ移行し、外観を損ねる場合がある。また、エラストマー、合成ゴムでは劣化に伴い硬化するため、長期の使用においては逆に滑りやすくなる可能性がある。
本発明は、上記問題を解決するためになされたもので、取り付けが簡単で且つ使用中に幼児が動いても滑りにくい幼児用補助便座用の便座カバーを提供することにある。
【課題を解決するための手段】
【０００４】
上記目的を達成するために請求項１記載の発明によれば、大便器上に開閉自在に取付られた大人用便座に対して装着自在な幼児用補助便座に被せる便座カバーであって、発泡製樹脂材料で前記幼児用補助便座の座面形状に倣った形状に成形したカバー部と、該カバー部の外周側及び内周側の端部に形成した、幼児用補助便座への係止部とで構成した。幼児用補助便座に取り付ける便座カバーを発泡性樹脂材料により補助便座の座面に倣った形状に成形したため、使用時幼児が不意に動いても便座カバーが外れたりすることがなく安全である。また、使用時ヒヤリ感がなく座ることができ、トイレは冷たいという先入観を払拭でき、幼児のトイレトレーニングがスムーズに行える。
【０００５】
上記目的を達成するために請求項２記載の発明によれば、前記係止部を、前記カバー部の外周縁部全周と内周縁部の複数箇所に設けた。こうすることで、便座カバーの固定が確実になり、あらゆる方向への幼児の動きに対しても便座カバーがずれにくく、使用時の安全を確保することができる。
【０００６】
上記目的を達成するために請求項３記載の発明によれば、前記外周縁部の係止部を、前記幼児用補助便座の端部を内向きに巻き込まれてから折り返される複数層の折り畳み形状に形成した。こうすることで、大人用便座との接触面積が増えるため、幼児が動いても幼児用補助便座が動くことはない。また、幼児用便座を装着することによる、大人用便座表面への傷付きが低減される。また、幼児用補助便座非使用時の保管において、幼児用補助便座に便座カバーを装着したままいかなる方向に置かれても便座カバーが外れにくくなる。
【０００７】
上記目的を達成するために請求項４記載の発明によれば、前記内周縁部の係止部を、前記幼児用補助便座の内周縁部または裏面に設けられた係合突部に嵌める引掛け係合部とした。このため、確実な固定を行うことができる。また、ネジなどによる固定方法ではないため、取り付け、取り外しの作業の煩雑さがない。
【０００８】
上記目的を達成するために請求項５記載の発明によれば、前記引掛け係合部を、前記内周縁部の係止部に設けた伸縮自在な環状部材で構成し、前記係合突部に前記環状部材を伸ばして嵌めるようになした。このため、係止部の伸縮性によって前記便座カバーの内周縁部を確実に固定することができる。また、ネジなどによる固定方法ではないため、取り付け、取り外しの作業の煩雑さがない。
【０００９】
上記目的を達成するために請求項６記載の発明によれば、前記発泡製樹脂材料を、発泡ポリエチレンもしくは変性された発泡ポリエチレンとした。こうすることで、汚れ付着があっても拭き取ることが可能で、常に衛生的な便座カバーを提供することができる。
【発明の効果】
【００１０】
本発明によれば、幼児のトイレトレーニングを促進する幼児用補助便座において、取り付けが簡単で、使用時冷たくなく、幼児が動いても幼児用補助便座が動くことなく安全に使用できる便座カバーを提供することができる。
【発明を実施するための最良の形態】
【００１１】
以上説明した本発明を一層明らかにするために、以下本発明の好適な実施例について説明する。図１は本発明に係る実施例を表す幼児用補助便座の便座カバーの斜視図、図２は本発明の幼児用補助便座の便座カバーが幼児用補助便座に取付られた断面図である。
【００１２】
幼児用補助便座Ａは、逆凹字状断面を有する座面１の前方に握り用取っ手２を設け、座面１の内周部に、後述する便座カバーの引掛け係合部が係合する係合突部である内周突起状縁部３を形成している。
【００１３】
幼児用補助便座Ａに被せて使用する便座カバーＢは発泡樹脂製であり、幼児用補助便座Ａの上面を覆うカバー部５の内周部に内周係止部６を設け、カバー部５の外周部に外周係止部７を設けている。内周係止部６には、補助便座Ａへの引掛け係合部として、幼児用補助便座Ａの内周突起状縁部３へ取り付けるために水平方向に走るスリット８を設けている。また、外周係止部７は、図２に明らかなように幼児用補助便座Ａの外周縁部４を内向きに巻き込んでから逆方向に折り返される複数層の、詳しくは二層の折り畳み形状９に形成されている。
この便座カバーＢは発泡性樹脂の真空成形により作成され、内周係止部６、外周係止部７はトリミングによってその形状をなす。便座カバーＢの材質としては、発泡ポリエチレンや変性発泡ポリエチレンが汚れの拭き取りやすさの点で効果を発揮するので最も好適であるが、発泡ＰＥＴ、発泡ポリプロピレン、発泡ポリスチレンなどいずれを用いてもよい。このような発泡体を使用すれば、冬場の温度５℃を想定した場合でも座った際に冷たく感じることはない。
【００１４】
図２により、幼児用補助便座Ａに便座カバーＢが取り付ける状態を説明する。
便座カバーＢの取り付けは、幼児用補助便座Ａの座面１に便座カバーＢを被せた状態で、まず便座カバーＢの外周側において外周係止部７を引っ張りながら幼児用補助便座Ａの外周縁部４を巻き込むようにして折り畳み形状９を外周縁部４の全周に係合させ、次いで便座カバーＢの内周側において内周係止部６のスリット８を幼児用補助便座Ａの内周突起状縁部３に引掛けるように嵌め込んで係止させて、行なう。このように便座カバーＢの端部を幼児用補助便座Ａに係合させるだけで取り付けできるので、便座カバーＢの着脱作業が非常に簡単である。特に従来品のように、便座カバーに設けた多数のゴムひもを幼児用補助便座の裏面に引っ掛けるような複雑な構造に比べ、製品を見ただけでその取り付け方法が理解できるので、初めての使用でも簡単に扱える。
こうして、カバー付幼児用補助便座Ａが形成される。
【００１５】
なお、内周突起状縁部３と内周係止部６は、本実施例のように２箇所に限られず、複数箇所設ければそれだけ幼児用補助便座Ａに対する便座カバーＢのずれを抑制することができるので効果的である。
【００１６】
次に、便座カバーＢを付けた幼児用補助便座Ａを大人用便座Ｃに装着する構成を説明する。図３にカバー付幼児用補助便座を大人用便座へ装着した際の斜視図および図４に要部断面図を示す。
カバー付幼児用補助便座Ａの大人用便座Ｃへの取り付けは、お互いの開口部を合せて、大人用便座Ｃの上に単純に乗せるだけである。カバー付幼児用補助便座Ａの内周側を大人用便座Ｃの内周と位置合わせして、大人用便座Ｃの座面上にカバー付幼児用補助便座Ａを載せる。すると、図４に示すように、便座カバーＢの外周係止部７の折り畳み形状９を係合させた幼児用補助便座Ａの外周縁部４が、大人用便座Ｃの座面上に載置される。よって、カバー付幼児用補助便座Ａと大人用便座Ｃは便座カバーＢの折り畳み形状９で接触することになる。よって、幼児用補助便座Ａと大人用便座Ｃの接触部は、発泡性樹脂が多層状になるため、接触面積が増え、且つ摩擦抵抗が大きくなるので、幼児が動いてもカバー付幼児用補助便座Ａが動くことはなく安全である。また、便座カバーＢを介して幼児用補助便座Ａを大人用便座Ｃに装着するため、大人用便座Ｃ表面への傷付きが低減される。
【００１７】
次に、幼児用補助便座への便座カバー取り付け方法の別の実施例について説明する。なお、前述した実施例と同じ構成については、その説明を省いている。
この実施例では、便座カバーＢ’の外周側は前述の実施例と同様の係合構成であるが、内周側は、図５に示すように、便座カバーＢ’の内周に舌部１１を設け、舌部１１の先端に穴１２を開けてハトメ１３をとりつけ、ここに環状のゴム部材１４を通し、このゴム部材１４を延ばして幼児用補助便座Ａの内周に設けた突起（係合突部）１５に引掛けるようにして嵌めて便座カバーＢ’を係止する構成とする。すなわち、便座カバーの係止部（引掛け係合部）として、伸縮自在なゴム製の環状部材を設けるようになした。
こうすれば、ゴム部材１４の伸縮性によって便座カバーＢ’の内周縁部を確実に固定することができる。また、ネジなどによる固定ではないため、取り付け、取り外しの作業の煩雑さもなくなる。さらに、従来品のように、便座カバーに設けた多数のゴムひもを幼児用補助便座の裏面に引っ掛けるような複雑な構造に比べ、製品を見ただけでその取り付け方法が理解できるので、初めての使用でも簡単に扱える。
なお、幼児用補助便座Ａの裏面の内周側に突起を設け、その突起にゴム部材１４を引っ掛ける構成としてもよい。
【図面の簡単な説明】
【００１８】
【図１】本発明に係る実施例を表す幼児用補助便座の便座カバーの斜視図である
【図２】本発明の幼児用補助便座の便座カバーが幼児用補助便座に取付られた断面図である
【図３】本発明のカバー付幼児用補助便座を大人用便座へ取り付けた際の斜視図である
【図４】本発明のカバー付幼児用補助便座を大人用便座へ取り付けた際の要部断面図である
【図５】本発明の内周係止部にゴム部材を用いた時の内周係止部と幼児用便座への取り付けた状態を示す図である
【符号の説明】
【００１９】
Ａ  幼児用補助便座
Ｂ、Ｂ’  幼児用補助便座の便座カバー
Ｃ  大人用便座
１  座面
２  握り用取っ手
３  内周突起状縁部（係合突部）
４  カバー部
５  外周縁部
６  内周係止部
７  外周係止部（引掛け係合部）
８  スリット
９  折り畳み形状
１１  舌部
１２  穴
１３  ハトメ
１４  ゴム部材（引掛け係合部）
１５  突起（係合突部）
【図１】
2005334180.tif 000003
【図２】
2005334180.tif 000004
【図３】
2005334180.tif 000005
【図４】
2005334180.tif 000006
【図５】
2005334180.tif 000007